(57)【要約】【課題】空気調和システムの制御を行うための構成を簡素化し、空気調和システムの設置工数と製造コストを低減する。【解決手段】熱源流体回路（20）に、第１空気調和機（50）と第２空気調和機（55）とを接続する。第１空気調和機（50）は、熱源流体によって空気を温度調節する。第２空気調和機（55）は、冷媒を熱源流体と熱交換させて冷凍サイクルを行う。熱源側制御器（16）は、熱源流体回路（20）における熱源流体の循環流量を、第１空気調和機（50）が室内の顕熱負荷の一部を処理するように予め定められた基準流量に設定する。一方、空調側制御器（17）は、第２空気調和機（55）の空調能力を、室内の空気の状態が所定の目標状態となるように調節する。【選択図】図１
2018112356.tif 000002
【特許請求の範囲】
【請求項１】
熱源流体が循環する熱源流体回路（20）と、
上記熱源流体回路（20）の上記熱源流体を、該熱源流体の温度が所定の目標温度となるように冷却し又は加熱する熱源機器（15）と、
上記熱源流体回路（20）の上記熱源流体によって冷却され又は加熱された空気を室内へ供給する第１空気調和機（50）と、
冷媒を上記熱源流体回路（20）の上記熱源流体と熱交換させて冷凍サイクルを行う冷媒回路（60）を有し、上記冷媒によって冷却され又は加熱された空気を室内へ供給する第２空気調和機（55）とを備える空気調和システムであって、
上記熱源流体回路（20）における上記熱源流体の循環流量を、上記第１空気調和機（50）が室内の顕熱負荷の一部を処理するように予め定められた基準流量に設定する熱源側制御器（16）と、
上記第２空気調和機（55）の空調能力を、室内の空気の状態が所定の目標状態となるように調節する空調側制御器（17）とを備えている
ことを特徴とする空気調和システム。
【請求項２】
請求項１において、
上記第１空気調和機（50）には、上記熱源流体回路（20）の上記熱源流体を空気と熱交換させる空調用熱交換器（51）が設けられ、
上記第２空気調和機（55）の上記冷媒回路（60）には、上記冷媒を上記熱源流体回路（20）の上記熱源流体と熱交換させる熱源側熱交換器（63）が設けられ、
上記熱源流体回路（20）では、上記第１空気調和機（50）の上記空調用熱交換器（51）の下流に、上記第２空気調和機（55）の上記熱源側熱交換器（63）が配置されている
ことを特徴とする空気調和システム。
【請求項３】
請求項２において、
上記熱源流体回路（20）は、
上記空調用熱交換器（51）をバイパスするバイパス配管（24a,24b）と、
上記熱源流体が上記空調用熱交換器（51）を通過後に上記熱源側熱交換器（63）へ流入する第１流通状態と、上記熱源流体が上記バイパス配管（24a,24b）を通過後に上記熱源側熱交換器（63）へ流入する第２流通状態とを切り換えるための切換機構（25a,25b）とを備えている
ことを特徴とする空気調和システム。
【請求項４】
請求項１乃至３のいずれか一つにおいて、
上記第１空気調和機（50）は、室内から吸い込んだ室内空気を上記熱源流体と熱交換させて室内へ供給するように構成される一方、
上記第２空気調和機（55）は、
上記冷媒回路（60）を有し、室内から吸い込んだ室内空気を上記冷媒と熱交換させてから室内へ供給するように構成された内気処理ユニット（56）と、
室外から吸い込んだ室外空気を、該室外空気の温度と湿度を調節してから室内へ供給するように構成された外気処理ユニット（70）とを備えている
ことを特徴とする空気調和システム。
【発明の詳細な説明】
【技術分野】
【０００１】
本発明は、熱源機器において冷却され又は加熱された熱源流体と、冷凍サイクルを行う冷媒回路の冷媒とを用いて室内の空気調和を行う空気調和システムに関するものである。
【背景技術】
【０００２】
特許文献１には、熱源機器と負荷設備の間で熱源水を循環させて室内の空気調和を行う空気調和機が開示されている。この空気調和機では、熱源機器において冷却され又は加熱された熱源水が、ファンコイルユニット等の利用側機器へ供給される。ファンコイルユニットは、熱源水によって冷却し又は加熱した空気を室内へ供給する。
【０００３】
特許文献２には、冷媒を熱源水と熱交換させて冷凍サイクルを行う冷媒回路を備えた空気調和機が開示されている。この空気調和機は、冷媒回路の冷媒によって冷却し又は加熱した空気を室内へ供給する。
【０００４】
特許文献３には、熱源機器において冷却され又は加熱された熱源水と、冷凍サイクルを行う冷媒回路の冷媒とを利用して室内の空気調和を行う空気調和システムが開示されている。この空気調和システムの冷媒回路は、冷媒を熱源水と熱交換させて冷凍サイクルを行う。
【先行技術文献】
【特許文献】
【０００５】
【特許文献１】国際公開第２０１０／０９２９１６号
【特許文献２】特開平０８−２１０７１９号公報
【特許文献３】特開２００７−３２２０２４号公報
【発明の概要】
【発明が解決しようとする課題】
【０００６】
ところで、特許文献１に開示されているような空気調和機（即ち、熱源水自体によって空気調和を行う空気調和機）と、特許文献２に開示されているような空気調和機（即ち、冷媒回路の冷媒によって空気調和を行う空気調和機）とを組み合わせて一つの空気調和システムを構成することが考えられる。この空気調和システムでは、熱源水が循環する回路に、ファンコイルユニット等の利用側機器と、冷媒回路の冷媒を熱源水と熱交換させるための熱交換器とが接続される。
【０００７】
上述した空気調和システムでは、熱源水自体によって空気調和を行う空気調和機と、冷媒回路の冷媒によって空気調和を行う空気調和機のそれぞれによって、室内の空調負荷が処理される。そのため、この空気調和システムでは、上述した二つの空気調和機のそれぞれを、室内の空調負荷に応じて精密に制御することが考えられる。
【０００８】
しかし、熱源水自体によって空気調和を行う空気調和機と、冷媒回路の冷媒によって空気調和を行う空気調和機のそれぞれを精密に制御するには、複雑な制御システムが必要となる。つまり、これら二種類の空気調和機との間で運転状態や空調負荷に関する多くの情報を送受信し、更には、収集した情報に基づく複雑な演算処理を行った上で、空気調和機に対する運転指令の内容を決定したり、決定した運転指令を出力する必要がある。そして、その結果、空気調和システムの構成が複雑化し、空気調和システムの製造コストの上昇を招くおそれがある。
【０００９】
本発明は、かかる点に鑑みてなされたものであり、その目的は、熱源流体自体によって空気調和を行う空気調和機と、冷媒回路の冷媒によって空気調和を行う空気調和機とを有する空気調和システムにおいて、その制御を行うための構成を簡素化することによって、空気調和システムの製造コストを低減することにある。
【課題を解決するための手段】
【００１０】
第１の発明は、熱源流体が循環する熱源流体回路（20）と、上記熱源流体回路（20）の上記熱源流体を、該熱源流体の温度が所定の目標温度となるように冷却し又は加熱する熱源機器（15）と、上記熱源流体回路（20）の上記熱源流体によって冷却され又は加熱された空気を室内へ供給する第１空気調和機（50）と、冷媒を上記熱源流体回路（20）の上記熱源流体と熱交換させて冷凍サイクルを行う冷媒回路（60）を有し、上記冷媒によって冷却され又は加熱された空気を室内へ供給する第２空気調和機（55）とを備える空気調和システムを対象とする。そして、上記熱源流体回路（20）における上記熱源流体の循環流量を、上記第１空気調和機（50）が室内の顕熱負荷の一部を処理するように予め定められた基準流量に設定する熱源側制御器（16）と、上記第２空気調和機（55）の空調能力を、室内の空気の状態が所定の目標状態となるように調節する空調側制御器（17）とを備えるものである。
【００１１】
第１の発明では、空気調和システム（10）に第１空気調和機（50）と第２空気調和機（55）とが設けられる。第１空気調和機（50）と第２空気調和機（55）は、それぞれが空気を室内へ供給することによって、室内の空気調和を行う。
【００１２】
第１の発明において、熱源側制御器（16）は、熱源流体回路（20）における熱源流体の循環流量を、所定の基準流量に設定する。つまり、熱源側制御器（16）は、熱源流体の循環流量を精密に増減させる動作を行うのではなく、熱源流体の循環流量をある程度の時間に亘って基準流量に保つ動作を行う。基準流量は、第１空気調和機（50）が室内の顕熱負荷の一部を処理するように、予め定められる。
【００１３】
第１の発明において、空調側制御器（17）は、室内の空気の状態（例えば、室内空気の温度と相対湿度）が所定の目標状態となるように、第２空気調和機（55）の空調能力を調節する。上述したように、室内の顕熱負荷の一部は、第１空気調和機（50）によって処理される。このため、第２空気調和機（55）は、室内の顕熱負荷のうち第１空気調和機（50）が処理できなかった分と、室内の潜熱負荷とを処理する。その結果、室内の空調負荷が、第１空気調和機（50）と第２空気調和機（55）とによって処理される。
【００１４】
第２の発明は、上記第１の発明において、上記第１空気調和機（50）には、上記熱源流体回路（20）の上記熱源流体を空気と熱交換させる空調用熱交換器（51）が設けられ、上記第２空気調和機（55）の上記冷媒回路（60）には、上記冷媒を上記熱源流体回路（20）の上記熱源流体と熱交換させる熱源側熱交換器（63）が設けられ、上記熱源流体回路（20）では、上記第１空気調和機（50）の上記空調用熱交換器（51）の下流に、上記第２空気調和機（55）の上記熱源側熱交換器（63）が配置されるものである。
【００１５】
第２の発明において、熱源流体回路（20）を流れる熱源流体は、第１空気調和機（50）の空調用熱交換器（51）において空気と熱交換した後に、第２空気調和機（55）の熱源側熱交換器（63）において冷媒回路（60）の冷媒と熱交換する。第１空気調和機（50）と第２空気調和機（55）の両方が冷房を行う場合、熱源機器（15）において冷却された熱源流体は、空調用熱交換器（51）において空気から吸熱することによってその温度が上昇し、その後に熱源側熱交換器（63）において冷媒から吸熱することによってその温度が更に上昇する。一方、第１空気調和機（50）と第２空気調和機（55）の両方が暖房を行う場合、熱源機器（15）において加熱された熱源流体は、空調用熱交換器（51）において空気へ放熱することによってその温度が低下し、その後に熱源側熱交換器（63）において冷媒へ放熱することによってその温度が更に低下する。
【００１６】
第３の発明は、上記第２の発明において、上記熱源流体回路（20）は、上記空調用熱交換器（51）をバイパスするバイパス配管（24a,24b）と、上記熱源流体が上記空調用熱交換器（51）を通過後に上記熱源側熱交換器（63）へ流入する第１流通状態と、上記熱源流体が上記バイパス配管（24a,24b）を通過後に上記熱源側熱交換器（63）へ流入する第２流通状態とを切り換えるための切換機構（25a,25b）とを備えるものである。
【００１７】
第３の発明では、熱源流体回路（20）の切換機構（25a,25b）によって、熱源流体の流通経路が第１流通状態と第２流通状態とに切り換えられる。第１流通状態において、熱源流体は、第１空気調和機（50）の空調用熱交換器（51）を通過した後に、第２空気調和機（55）の熱源側熱交換器（63）を通過する。一方、第２流通状態において、熱源流体は、第１空気調和機（50）の空調用熱交換器（51）を通らずにバイパス配管（24a,24b）を通過し、その後に第２空気調和機（55）の熱源側熱交換器（63）を通過する。この第２流通状態において、第１空気調和機（50）は室内の空気調和を行わない停止状態となり、第２空気調和機（55）が室内の空気調和を行う。
【００１８】
第４の発明は、上記第１〜第３のいずれか一つの発明において、上記第１空気調和機（50）は、室内から吸い込んだ室内空気を上記熱源流体と熱交換させて室内へ供給するように構成される一方、上記第２空気調和機（55）は、上記冷媒回路（60）を有し、室内から吸い込んだ室内空気を上記冷媒と熱交換させてから室内へ供給するように構成された内気処理ユニット（56）と、室外から吸い込んだ室外空気を、該室外空気の温度と湿度を調節してから室内へ供給するように構成された外気処理ユニット（70）とを備えるものである。
【００１９】
第４の発明では、第２空気調和機（55）の外気処理ユニット（70）が、空調負荷の一部である外気負荷を処理する。また、室内の空調負荷のうち外気処理ユニット（70）が処理しない分は、第１空気調和機（50）と第２空気調和機（55）の内気処理ユニット（56）とによって処理される。
【発明の効果】
【００２０】
本発明において、熱源側制御器（16）は、熱源流体回路（20）における熱源流体の循環流量を、所定の基準流量に設定する。つまり、熱源側制御器（16）は、熱源流体の循環流量をある程度の時間に亘って基準流量に保つ動作（即ち、比較的単純な制御動作）を行う。このため、熱源側制御器（16）の構成は、非常に簡素となる。熱源流体回路（20）における熱源流体の循環流量が基準流量に設定された状態では、室内の顕熱負荷の一部が第１空気調和機（50）によって処理される。一方、空調側制御器（17）が第２空気調和機（55）の空調能力を調節するため、室内の空調負荷のうち第１空気調和機（50）が処理できなかった分は、第２空気調和機（55）によって処理される。
【００２１】
このように、本発明の空気調和システム（10）では、簡素な構成の熱源側制御器（16）を用いつつ、第１空気調和機（50）と第２空気調和機（55）とを用いて室内の空調負荷を処理することができる。従って、本発明によれば、室内の空調負荷を確実に処理するという空気調和システム（10）の機能を損なうことなく、空気調和システム（10）の制御を行うための構成を簡素化できる。その結果、空気調和システム（10）の設置に要する工数や、空気調和システム（10）の製造コストを低減することが可能となる。
【００２２】
また、本発明の空気調和システム（10）において、第１空気調和機（50）は、室内の顕熱負荷を処理する。このため、第１空気調和機（50）が空気を冷却する運転において、第１空気調和機（50）へ供給される熱源流体の温度を、室内空気の露点よりも高い温度に設定できる。従って、本発明によれば、熱源機器（15）の消費エネルギを削減することが可能となる。
【００２３】
上記第２の発明では、熱源流体回路（20）において、第１空気調和機（50）の空調用熱交換器（51）の下流に、第２空気調和機（55）の熱源側熱交換器（63）が配置される。つまり、熱源流体回路（20）を流れる熱源流体は、空調用熱交換器（51）において空気と熱交換した後に、更に熱源側熱交換器（63）において冷媒回路（60）の冷媒と熱交換する。このため、熱源機器（15）から空調用熱交換器（51）と熱源側熱交換器（63）とに個別に熱源流体を供給する場合に比べ、熱源機器（15）から送出される熱媒流体と、熱源機器（15）へ戻ってくる熱源流体との温度差を拡大することができる。その結果、熱源流体によって搬送される熱量を保ちつつ、熱源流体回路（20）における熱源流体の循環流量を削減し、熱源流体を循環させるために必要な動力を削減することができる。
【００２４】
上記第３の発明では、切換機構（25a,25b）が熱源流体の流通経路を切り換えることによって、第１空気調和機（50）と第２空気調和機（55）の両方が室内の空気調和を行う運転状態と、第２空気調和機（55）だけが室内の空気調和を行う運転状態とを切り換えることができる。従って、この発明によれば、空気調和システム（10）の運転状態を室内の空調負荷に応じて選択することが可能となり、空気調和システム（10）によって室内の空調負荷を過不足なく処理することが可能となる。
【図面の簡単な説明】
【００２５】
【図１】図１は、実施形態１の空気調和システムの構成を示す配管系統図である。
【図２】図２は、実施形態１の外気処理ユニットの概略構成図である。
【図３】図３は、実施形態１の変形例の空気調和システムの構成を示す配管系統図である。
【図４】図４は、実施形態２の空気調和システムの構成を示す配管系統図である。
【発明を実施するための形態】
【００２６】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２７】
《実施形態１》
実施形態１について説明する。本実施形態は、室内の空気調和を行う空気調和システム（10）である。
【００２８】
図１に示すように、空気調和システム（10）は、第１サブシステム（11a）と、第２サブシステム（11b）と、熱源水回路（20）と、熱源機器（15）と、熱源側制御器（16）とを備えている。なお、空気調和システム（10）に設けられるサブシステム（11a,11b）の数は、単なる一例である。
【００２９】
第１サブシステム（11a）と第２サブシステム（11b）のそれぞれは、第１空気調和機であるファンコイルユニット（50）と、第２空気調和機（55）と、空調側制御器（17）とを備えている。これら二つのサブシステム（11a,11b）は、同様に構成されている。そして、第１サブシステム（11a）は第１室内空間（100a）の空気調和を行い、第２サブシステム（11b）は第２室内空間（100b）の空気調和を行う。
【００３０】
各サブシステム（11a,11b）の第２空気調和機（55）は、内気処理ユニット（56）と外気処理ユニット（70）とを備えている。なお、各サブシステム（11a,11b）に設けられたファンコイルユニット（50）、内気処理ユニット（56）、及び外気処理ユニット（70）の台数は、一台であってもよいし、複数台であってもよい。
【００３１】
〈ファンコイルユニット〉
図１に示すように、ファンコイルユニット（50）は、空調用熱交換器（51）を備えている。空調用熱交換器（51）は、クロスフィン型のフィンアンドチューブ熱交換器である。この空調用熱交換器（51）は、熱源水回路（20）に接続され、熱源水回路（20）の熱源水を空気と熱交換させる。図示しないが、ファンコイルユニット（50）は、ファンを備えている。ファンコイルユニット（50）は、室内空間（100a,100b）から空気を吸い込み、吸い込んだ空気を空調用熱交換器（51）において熱源水と熱交換させた後に、室内空間（100a,100b）へ吹き出すように構成されている。
【００３２】
〈内気処理ユニット〉
図１に示すように、内気処理ユニット（56）は、一つの熱源側ユニット（57）と、複数の利用側ユニット（58）とを備えている。内気処理ユニット（56）では、熱源側ユニット（57）と利用側ユニット（58）を連絡配管で接続することによって、冷媒回路（60）が形成されている。なお、熱源側ユニット（57）と利用側ユニット（58）の数は、単なる一例である。
【００３３】
冷媒回路（60）には、圧縮機（61）と、四方切換弁（62）と、熱源側熱交換器（63）と、膨張弁（64）と、利用側熱交換器（65）とが設けられている。冷媒回路（60）において、圧縮機（61）は、吐出管が四方切換弁（62）の第１のポートに接続され、吸入管が四方切換弁（62）の第２のポートに接続される。また、冷媒回路（60）では、四方切換弁（62）の第３のポートから第４のポートへ向かって順に、熱源側熱交換器（63）と、膨張弁（64）と、利用側熱交換器（65）とが配置されている。利用側熱交換器（65）は、冷媒回路（60）に複数設けられている。冷媒回路（60）において、複数の利用側熱交換器（65）は、互いに並列に接続されている。
【００３４】
圧縮機（61）は、全密閉型のスクロール圧縮機である。四方切換弁（62）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる切換弁である。膨張弁（64）は、開度可変の電子膨張弁（64）である。
【００３５】
熱源側熱交換器（63）は、一次側流路（63a）と二次側流路（63b）とが複数ずつ形成されたプレート式熱交換器である。熱源側熱交換器（63）は、一次側流路（63a）が熱源水回路（20）に接続され、二次側流路（63b）が冷媒回路（60）に接続される。そして、熱源側熱交換器（63）は、二次側流路（63b）を流れる冷媒を、一次側流路（63a）を流れる熱源水と熱交換させる。一方、利用側熱交換器（65）は、クロスフィン型のフィンアンドチューブ熱交換器である。この利用側熱交換器（65）は、冷媒回路（60）の冷媒を空気と熱交換させる。
【００３６】
圧縮機（61）と、四方切換弁（62）と、熱源側熱交換器（63）と、膨張弁（64）とは、熱源側ユニット（57）に収容されている。一方、利用側熱交換器（65）は、各利用側ユニット（58）に一つずつ収容されている。図示しないが、各利用側ユニット（58）は、ファンを備えている。各利用側ユニット（58）は、室内空間（100a,100b）から空気を吸い込み、吸い込んだ空気を利用側熱交換器（65）において冷媒と熱交換させた後に、室内空間（100a,100b）へ吹き出すように構成されている。
【００３７】
〈外気処理ユニット〉
図２に示すように、外気処理ユニット（70）は、ケーシング（71）と、全熱交換器（81）と、給気ファン（83）と、排気ファン（84）と、加湿エレメント（82）とを備えている。
【００３８】
ケーシング（71）の内部には、給気通路（72）と排気通路（73）とが形成されている。また、ケーシング（71）には、給気口（74）と、排気口（75）と、外気吸込口（76）と、内気吸込口（77）とが形成される。給気通路（72）は、入口端が外気吸込口（76）に接続し、出口端が給気口（74）に接続する。排気通路（73）は、入口端が内気吸込口（77）に接続し、出口端が排気口（75）に接続する。
【００３９】
全熱交換器（81）は、給気通路（72）と排気通路（73）の両方に跨がって配置される。この全熱交換器（81）は、給気通路（72）を流れる室外空気と、排気通路（73）を流れる室内空気との間で、熱と水分を交換させる熱交換器である。
【００４０】
給気通路（72）では、全熱交換器（81）の下流側に給気ファン（83）と加湿エレメント（82）とが配置される。加湿エレメント（82）は、透湿膜や不織布などを用いて空気を加湿するための部材であって、いわゆる気化式の加湿器を構成する。一方、排気通路（73）では、全熱交換器（81）の下流側に排気ファン（84）が配置される。
【００４１】
図１に示すように、給気口（74）は、ダクトを介して吹出口ユニット（91）に接続され、吹出口ユニット（91）を介して室内空間（100a,100b）に連通する。内気吸込口（77）は、ダクトを介して吸込口ユニット（92）に接続され、吸込口ユニット（92）を介して室内空間（100a,100b）に連通する。排気口（75）と外気吸込口（76）のそれぞれは、図外のダクトを介して室外空間に連通する。
【００４２】
〈空調側制御器〉
空調側制御器（17）は、内気処理ユニット（56）の運転を制御するように構成されている。図示しないが、空調側制御器（17）は、ＣＰＵやメモリ等の電子部品を備えている。空調側制御器（17）は、メモリに記録されたプログラムに基づいて所定の制御動作を行う。
【００４３】
具体的に、空調側制御器（17）は、各種のデータを用いて、圧縮機（61）の運転容量と、膨張弁（64）の開度とを調節する。空調側制御器（17）が用いるデータの例としては、利用側ユニット（58）に吸い込まれた室内空気の温度の計測値、室内空間（100a,100b）の設定温度、熱源側熱交換器（63）の一次側流路（63a）へ供給される熱源水の温度の計測値、冷媒回路（60）の各部における冷媒の温度および圧力の計測値などが上げられる。また、空調側制御器（17）は、四方切換弁（62）を切り換える動作を行う。更に、空調側制御器（17）は、利用側ユニット（58）に設けられたファンの送風量を調節する動作を行うように構成されていてもよい。
【００４４】
空調側制御器（17）は、室内空間（100a,100b）の空気の状態が所定の目標状態となるように、内気処理ユニット（56）の運転を制御する。目標状態は、空気の状態を示す一つ又は複数の物理量（例えば、温度、相対湿度など）の目標値によって表される。空調側制御器（17）は、室内空間（100a,100b）の空気の状態を示す一つ又は複数の物理量が目標値となるように、圧縮機（61）の運転容量や、膨張弁（64）の開度などを調節する。
【００４５】
例えば、空調側制御器（17）は、内気処理ユニット（56）の利用側熱交換器（65）における冷媒の蒸発温度または凝縮温度の目標値を、各内気処理ユニット（56）の空調負荷（具体的には、室内温度の設定値と実測値などの物理量）を考慮した上で、内気処理ユニット（56）のＣＯＰ（成績係数）が最も高くなるように決定する。そして、空調側制御器（17）は、利用側熱交換器（65）における冷媒の蒸発温度または凝縮温度の実測値が目標値となるように、圧縮機（61）の運転容量や、膨張弁（64）の開度などを制御する。
【００４６】
〈熱源水回路〉
熱源水回路（20）は、熱源流体である熱源水が循環する回路であって、熱源流体回路を構成する。
【００４７】
図１に示すように、熱源水回路（20）は、送り配管（30）と戻り配管（40）とを備えている。送り配管（30）は、一本の集合管（31）と、二本（即ち、サブシステム（11a,11b）と同数）の分岐管（32a,32b）とを備えている。戻り配管（40）は、一本の集合管（41）と、二本（即ち、サブシステム（11a,11b）と同数）の分岐管（42a,42b）とを備えている。また、熱源水回路（20）には、利用側バイパス配管（24a,24b）と三方弁（25a,25b）とが、二つ（即ち、サブシステム（11a,11b）と同数）ずつ設けられている。
【００４８】
送り配管（30）において、集合管（31）の始端は、熱源機器（15）に接続されている。この集合管（31）は、その終端に各分岐管（32a,32b）の一端が接続されている。各分岐管（32a,32b）の他端は、対応するサブシステム（11a,11b）のファンコイルユニット（50）の空調用熱交換器（51）に接続されている。つまり、第１の分岐管（32a）の他端は、第１サブシステム（11a）の空調用熱交換器（51）の流入端に接続され、第２の分岐管（32b）の他端は、第２サブシステム（11b）の空調用熱交換器（51）の流入端に接続されている。
【００４９】
戻り配管（40）において、集合管（41）の終端は、熱源機器（15）に接続されている。この集合管（41）は、その始端に各分岐管（42a,42b）の一端が接続されている。各分岐管（42a,42b）の他端は、対応するサブシステム（11a,11b）のファンコイルユニット（50）の空調用熱交換器（51）に接続されている。つまり、第１の分岐管（42a）の他端は、第１サブシステム（11a）の空調用熱交換器（51）の流出端に接続され、第２の分岐管（42b）の他端は、第２サブシステム（11b）の空調用熱交換器（51）の流出端に接続されている。
【００５０】
戻り配管（40）の各分岐管（42a,42b）には、対応するサブシステム（11a,11b）の内気処理ユニット（56）の熱源側熱交換器（63）が接続されている。つまり、第１の分岐管（42a）には、第１サブシステム（11a）の熱源側熱交換器（63）の一次側流路（63a）が接続され、第２の分岐管（42b）には、第２サブシステム（11b）の熱源側熱交換器（63）の一次側流路（63a）が接続されている。
【００５１】
戻り配管（40）の各分岐管（42a,42b）には、三方弁（25a,25b）が一つずつ設けられている。各分岐管（42a,42b）では、それぞれの一端から他端へ向かって順に、三方弁（25a,25b）と熱源側熱交換器（63）とが配置されている。各分岐管（42a,42b）において、三方弁（25a,25b）は、第１のポートが熱源側熱交換器（63）の一次側流路（63a）に接続され、第２のポートがファンコイルユニット（50）の空調用熱交換器（51）に接続されている。
【００５２】
戻り配管（40）の各分岐管（42a,42b）の三方弁（25a,25b）には、利用側バイパス配管（24a,24b）が接続されている。第１の分岐管（42a）の三方弁（25a）は、その第３のポートに第１の利用側バイパス配管（24a）の一端が接続されている。第１の利用側バイパス配管（24a）の他端は、送り配管（30）の第１の分岐管（32a）に接続されている。一方、第２の分岐管（42b）の三方弁（25b）は、その第３のポートに第２の利用側バイパス配管（24b）の一端が接続されている。第２の利用側バイパス配管（24b）の他端は、送り配管（30）の第２の分岐管（32b）に接続されている。
【００５３】
三方弁（25a,25b）は、第１のポートが第２のポートと連通して第３のポートから遮断される第１状態（図１に実線で示す状態）と、第１のポートが第３のポートと連通して第２のポートから遮断される第２状態（図１に破線で示す状態）とに切り換わる切換弁である。この三方弁（25a,25b）は、後述する第１流通状態と第２流通状態とを切り換えるための切換機構を構成する。
【００５４】
熱源水回路（20）には、熱源水ポンプ（21）と、熱源側バイパス配管（22）と、流量調節弁（23）とが設けられている。熱源水ポンプ（21）は、熱源水回路（20）に複数設けられている。複数の熱源水ポンプ（21）は、送り配管（30）の集合管（31）に設けられている。また、複数の熱源水ポンプ（21）は、互いに並列に接続されている。熱源側バイパス配管（22）は、一端が送り配管（30）の集合管（31）における熱源水ポンプ（21）の下流側に接続され、他端が戻り配管（40）の集合管（41）に接続されている。流量調節弁（23）は、開度可変の調節弁であって、熱源側バイパス配管（22）に設けられている。
【００５５】
〈熱源機器〉
熱源機器（15）は、戻り配管（40）から流入した熱源水の温度を調節し、温度を調節した熱源水を送り配管（30）へ送出するように構成されている。この熱源機器（15）は、戻り配管（40）から流入した熱源水を冷却し又は加熱し、冷却され又は加熱されて温度が所定の目標温度となった熱源水を送り配管（30）へ送出する。本実施形態の熱源機器（15）は、互いに並列に接続された複数台のチラー装置によって構成される。熱源機器（15）を構成するチラー装置は、冷凍サイクルを行う。また、このチラー装置は、冷媒によって熱源水を冷却する運転と、冷媒によって熱源水を加熱する運転とを選択的に行う。
【００５６】
なお、熱源機器（15）は、冷凍サイクルを行って熱源水を冷却する冷凍装置と、燃料の燃焼熱によって熱源水を加熱するボイラとによって構成されていてもよい。また、熱源機器（15）は、地熱を利用して熱源水の冷却または加熱を行う地中熱交換器や、燃料電池等の排熱を利用して熱源水を加熱する排熱回収装置によって構成されていてもよい。
【００５７】
〈熱源側制御器〉
熱源側制御器（16）は、熱源水回路（20）における熱源水の循環流量を、所定の基準流量に設定するように構成されている。図示しないが、熱源側制御器（16）は、ＣＰＵやメモリ等の電子部品を備えている。熱源側制御器（16）は、メモリに記録されたプログラムに基づいて所定の制御動作を行う。
【００５８】
熱源側制御器（16）は、熱源水回路（20）における熱源水の循環流量が基準流量となるように、熱源水ポンプ（21）の運転台数を調節するように構成されている。具体的に、熱源側制御器（16）は、暦に対応した基準流量を予め記憶している。熱源側制御器（16）は、例えば、一年の各日に用いる基準流量を予め記憶している。熱源側制御器（16）は、空気調和システム（10）が起動する際に、その日に対応する基準流量をメモリから読み出す。そして、熱源側制御器（16）は、メモリから読み出した基準流量に対応する熱源水ポンプ（21）の運転台数を決定し、決定した台数の熱源水ポンプ（21）を作動させる。
【００５９】
“熱源水回路（20）における熱源水の循環流量”は、“各サブシステム（11a,11b）へ供給される熱源水の流量の合計値”である。従って、熱源側制御器（16）は、“各サブシステム（11a,11b）へ供給される熱源水の流量の合計値”が“メモリから読み出した基準流量”となるように、熱源水ポンプ（21）の運転台数（即ち、作動させるべき熱源水ポンプ（21）の台数）を決定する。熱源側バイパス配管（22）の流量調節弁（23）が閉じている場合、“熱源水回路（20）における熱源水の循環流量”は、熱源水ポンプ（21）の吐出流量と等しい。
【００６０】
このように、熱源側制御器（16）は、空気調和システム（10）に設けられたセンサの計測値等を用いて熱源水ポンプ（21）を制御する動作ではなく、基準流量に応じて決めた台数の熱源水ポンプ（21）を作動させる動作（即ち、比較的単純な制御動作）を行う。なお、熱源側制御器（16）は、例えば１０日毎や１ヶ月毎の複数の期間に一年を区切り、これらの各期間に用いる基準流量を予め記憶していてもよい。
【００６１】
基準流量は、ファンコイルユニット（50）が室内空間（100a,100b）の顕熱負荷の一部（例えば、躯体負荷の一部または全部）を処理するように、予め定められる。ここで、室内空間（100a,100b）の空調負荷は、内部負荷と躯体負荷の合計である。内部負荷は、人体、照明機器、ＯＡ機器などの発熱等に起因する負荷であって、空調対象となる部屋の使用状況などによって大幅に変動する。このため、内部負荷を予め予測するのは困難である。一方、躯体負荷は、建物の所在地（具体的には、その所在地の平均気温などの平均的な気象条件）、建物の構造、建物の材質の物性等によって決まる熱負荷であり、予め比較的正確に予測することが可能である。そこで、本実施形態では、予測が容易な躯体負荷の少なくとも一部がファンコイルユニット（50）によって処理されるような熱源水の循環流量を、基準流量としている。
【００６２】
なお、熱源側制御器（16）は、熱源水ポンプ（21）の運転台数の調節に加えて、熱源機器（15）を構成するチラー装置の運転台数の調節を行ってもよい。
【００６３】
−運転動作−
空気調和システム（10）の運転動作を説明する。空気調和システム（10）は、冷房運転と、暖房運転と、冷暖混在運転とを選択的に行う。なお、以下に示す熱源水の温度は、単なる一例である。
【００６４】
晩春から初秋にかけての冷房シーズンにおいて、熱源機器（15）は、例えば２０℃程度の熱源水（冷房用中温水）を、サブシステム（11a,11b）へ供給する。一方、晩秋から初春にかけての暖房シーズンにおいて、熱源機器（15）は、例えば３０℃程度の熱源水（暖房用中温水）を、サブシステム（11a,11b）へ供給する。
【００６５】
〈冷房運転〉
冷房運転は、各サブシステム（11a,11b）が室内空間（100a,100b）の冷房を行う運転である。冷房運転中の各サブシステム（11a,11b）では、ファンコイルユニット（50）が室内の顕熱負荷を処理し、内気処理ユニット（56）が室内の顕熱負荷と潜熱負荷を処理し、外気処理ユニット（70）が室内の顕熱負荷と潜熱負荷を処理する。
【００６６】
冷房運転において、熱源機器（15）は、２０℃程度の熱源水（冷房用中温水）をサブシステム（11a,11b）へ供給する。冷房運転では、各サブシステム（11a,11b）に対応する三方弁（25a,25b）が第１状態に設定され、各サブシステム（11a,11b）の内気処理ユニット（56）の四方切換弁（62）が第１状態に設定される。
【００６７】
冷房運転では、各三方弁（25a,25b）が第１状態となる。このため、熱源水回路（20）における熱源水の流通経路は、第１流通状態となる。つまり、熱源水回路（20）のうち各サブシステム（11a,11b）に対応する部分（即ち、第１サブシステム（11a）に対応する分岐管（32a,42a）と、第２サブシステム（11b）に対応する分岐管（32b,42b）では、ファンコイルユニット（50）の空調用熱交換器（51）の下流に、内気処理ユニット（56）の熱源側熱交換器（63）が配置される。
【００６８】
熱源機器（15）から送り配管（30）へ送出された熱源水は、送り配管（30）の分岐管（32a,32b）を通って各サブシステム（11a,11b）へ分配される。各サブシステム（11a,11b）において、送り配管（30）を通じて供給された熱源水は、ファンコイルユニット（50）の空調用熱交換器（51）へ流入する。後述するように、ファンコイルユニット（50）の空調用熱交換器（51）では、熱源水が空気から吸熱し、その温度が２３℃程度にまで上昇する。
【００６９】
各サブシステム（11a,11b）において、空調用熱交換器（51）から流出した熱源水は、三方弁（25a,25b）を通って内気処理ユニット（56）の熱源側熱交換器（63）へ流入する。後述するように、内気処理ユニット（56）の冷媒回路（60）では、熱源側熱交換器（63）が凝縮器として機能する冷凍サイクルが行われる。このため、熱源側熱交換器（63）の一次側流路（63a）へ流入した熱源水は、冷媒回路（60）の冷媒から吸熱し、その温度が３０℃程度にまで上昇する。熱源側熱交換器（63）から流出した熱源水は、戻り配管（40）の分岐管（42a,42b）と集合管（41）とを順に通り、その後に熱源機器（15）へ流入する。
【００７０】
各サブシステム（11a,11b）において、ファンコイルユニット（50）は、室内空間（100a,100b）から吸い込んだ空気を空調用熱交換器（51）へ供給する。空調用熱交換器（51）では、ファンコイルユニット（50）に吸い込まれた室内空気が熱源水と熱交換して冷却される。通常、室内空気の露点は、２０℃（即ち、冷房用中温水の温度）よりも低い。このため、空調用熱交換器（51）では、結露は生じず、顕熱負荷の処理だけが行われる。つまり、空調用熱交換器（51）では、空気の温度が低下する一方、空気に含まれる水分の量（即ち、絶対湿度）は変化しない。ファンコイルユニット（50）は、空調用熱交換器（51）を通過する際に冷却された空気を、室内空間（100a,100b）へ吹き出す。
【００７１】
各サブシステム（11a,11b）において、内気処理ユニット（56）の冷媒回路（60）では、冷凍サイクルが行われる。具体的に、内気処理ユニット（56）では、圧縮機（61）が作動し、四方切換弁（62）が第１状態に設定される。圧縮機（61）から吐出された冷媒は、熱源側熱交換器（63）の二次側流路（63b）へ流入し、その一次側流路（63a）を流れる熱源水へ放熱して凝縮する。その後、冷媒は、膨張弁（64）を通過する際に膨張してから利用側熱交換器（65）へ流入し、利用側ユニット（58）へ吸い込まれた室内空気から吸熱して蒸発し、圧縮機（61）へ吸入されて再び圧縮される。
【００７２】
利用側熱交換器（65）における冷媒の蒸発温度は、通常、室内空気の露点よりも低い値に設定される。このため、利用側熱交換器（65）では、結露が生じ、顕熱負荷と潜熱負荷の処理が行われる。つまり、利用側熱交換器（65）では、空気の温度が低下し、空気に含まれる水分の量が減少（即ち、絶対湿度が低下）する。利用側ユニット（58）は、利用側熱交換器（65）を通過する際に冷却され且つ除湿された空気を、室内空間（100a,100b）へ吹き出す。
【００７３】
各サブシステム（11a,11b）において、外気処理ユニット（70）は、室内空間（100a,100b）の換気を行う。具体的に、外気処理ユニット（70）では、給気ファン（83）と排気ファン（84）とが作動する。外気処理ユニット（70）は、室外空気を外気吸込口（76）から吸い込み、室内空間（100a,100b）の室内空気を内気吸込口（77）から吸い込む。外気処理ユニット（70）に吸い込まれた室外空気と室内空気は、全熱交換器（81）へ流入する。
【００７４】
全熱交換器（81）では、室外空気と室内空気の間において熱と水分の交換が行われる。室内空間（100a,100b）の冷房中において、室内空気の温度および絶対湿度は、通常、室外空気の温度および絶対湿度よりも低い。このため、全熱交換器（81）では、室外空気に含まれる熱と水分が室内空気へ移動し、室外空気の温度と絶対湿度が低下する。全熱交換器（81）において冷却され且つ除湿された室外空気は、給気口（74）を通ってケーシング（71）から流出し、吹出口ユニット（91）から室内空間（100a,100b）へ吹き出される。一方、全熱交換器（81）において熱と水分を付与された室内空気は、排気口（75）を通って屋外へ排出される。
【００７５】
〈暖房運転〉
暖房運転は、各サブシステム（11a,11b）が室内空間（100a,100b）の暖房を行う運転である。暖房運転中の各サブシステム（11a,11b）では、ファンコイルユニット（50）が室内の顕熱負荷を処理し、内気処理ユニット（56）が室内の顕熱負荷を処理し、外気処理ユニット（70）が室内の顕熱負荷と潜熱負荷を処理する。
【００７６】
暖房運転において、熱源機器（15）は、３０℃程度の熱源水（暖房用中温水）をサブシステム（11a,11b）へ供給する。暖房運転では、各サブシステム（11a,11b）に対応する三方弁（25a,25b）が第１状態に設定され、各サブシステム（11a,11b）の内気処理ユニット（56）の四方切換弁（62）が第２状態に設定される。暖房運転では、各三方弁（25a,25b）が第１状態となるため、冷房運転時と同様に、熱源水回路（20）における熱源水の流通経路が第１流通状態となる。
【００７７】
熱源機器（15）から送り配管（30）へ送出された熱源水は、送り配管（30）の分岐管（32a,32b）を通って各サブシステム（11a,11b）へ分配される。各サブシステム（11a,11b）において、送り配管（30）を通じて供給された熱源水は、ファンコイルユニット（50）の空調用熱交換器（51）へ流入する。後述するように、ファンコイルユニット（50）の空調用熱交換器（51）では、熱源水が空気へ放熱し、その温度が２６℃程度にまで低下する。
【００７８】
各サブシステム（11a,11b）において、空調用熱交換器（51）から流出した熱源水は、三方弁（25a,25b）を通って内気処理ユニット（56）の熱源側熱交換器（63）へ流入する。後述するように、内気処理ユニット（56）の冷媒回路（60）では、熱源側熱交換器（63）が蒸発器として機能する冷凍サイクルが行われる。このため、熱源側熱交換器（63）の一次側流路（63a）へ流入した熱源水は、冷媒回路（60）の冷媒へ放熱し、その温度が２０℃程度にまで低下する。熱源側熱交換器（63）から流出した熱源水は、戻り配管（40）の分岐管（42a,42b）と集合管（41）とを順に通り、その後に熱源機器（15）へ流入する。
【００７９】
各サブシステム（11a,11b）において、ファンコイルユニット（50）は、室内空間（100a,100b）から吸い込んだ空気を空調用熱交換器（51）へ供給する。空調用熱交換器（51）では、ファンコイルユニット（50）に吸い込まれた室内空気が熱源水と熱交換して加熱される。空調用熱交換器（51）では、顕熱負荷の処理だけが行われる。ファンコイルユニット（50）は、空調用熱交換器（51）を通過する際に加熱された空気を、室内空間（100a,100b）へ吹き出す。
【００８０】
各サブシステム（11a,11b）において、内気処理ユニット（56）の冷媒回路（60）では、冷凍サイクルが行われる。具体的に、内気処理ユニット（56）では、圧縮機（61）が作動し、四方切換弁（62）が第２状態に設定される。圧縮機（61）から吐出された冷媒は、利用側熱交換器（65）へ流入し、利用側ユニット（58）へ吸い込まれた室内空気へ放熱して凝縮する。その後、冷媒は、膨張弁（64）を通過する際に膨張してから熱源側熱交換器（63）の二次側流路（63b）へ流入し、その一次側流路（63a）を流れる熱源水から吸熱して蒸発し、圧縮機（61）へ吸入されて再び圧縮される。
【００８１】
内気処理ユニット（56）の利用側熱交換器（65）では、利用側ユニット（58）へ吸い込まれた室内空気が加熱される。つまり、利用側熱交換器（65）では、顕熱負荷の処理だけが行われる。利用側ユニット（58）は、利用側熱交換器（65）を通過する際に加熱された空気を、室内空間（100a,100b）へ吹き出す。
【００８２】
各サブシステム（11a,11b）において、外気処理ユニット（70）は、室内空間（100a,100b）の換気を行う。空気調和システム（10）の冷房運転時と同様に、外気処理ユニット（70）では、外気処理ユニット（70）に吸い込まれた室外空気と室内空気が、全熱交換器（81）へ流入する。
【００８３】
全熱交換器（81）では、室外空気と室内空気の間において熱と水分の交換が行われる。室内空間（100a,100b）の暖房中において、室内空気の温度および絶対湿度は、通常、室外空気の温度および絶対湿度よりも高い。このため、全熱交換器（81）では、室内空気に含まれる熱と水分が室外空気へ移動し、室外空気の温度と絶対湿度が上昇する。全熱交換器（81）において加熱され且つ加湿された室外空気は、加湿エレメント（82）を通過する際に更に加湿される。その後、室外空気は、給気口（74）を通ってケーシング（71）から流出し、吹出口ユニット（91）から室内空間（100a,100b）へ吹き出される。一方、全熱交換器（81）において熱と水分を奪われた室内空気は、排気口（75）を通って屋外へ排出される。
【００８４】
〈冷暖混在運転〉
冷暖混在運転は、二つのサブシステム（11a,11b）の一方が室内空間を冷房すると同時に他方が室内空間を暖房する運転である。空気調和システム（10）は、熱源機器（15）から各サブシステム（11a,11b）へ供給される熱源水が冷房用中温水である場合と暖房用中温水である場合の両方において、冷暖混在運転を実行できる。ここでは、第１サブシステム（11a）が冷房運転を行い、第２サブシステム（11b）が暖房運転を行う場合を例に、冷暖混在得運転を説明する。
【００８５】
先ず、熱源機器（15）から各サブシステム（11a,11b）へ冷房用中温水が供給されている場合について説明する。
【００８６】
この場合、第１サブシステム（11a）は、上述した冷房運転時と同じ動作を行い、第１室内空間（100a）を冷房する。つまり、第１サブシステム（11a）では、ファンコイルユニット（50）が冷却した空気を第１室内空間（100a）へ供給し、内気処理ユニット（56）の利用側ユニット（58）が冷却し且つ除湿した空気を第１室内空間（100a）へ供給する。なお、外気処理ユニット（70）の動作は、上述した冷房運転時と同じである。
【００８７】
一方、第２サブシステム（11b）は、ファンコイルユニット（50）が停止し、内気処理ユニット（56）と外気処理ユニット（70）が作動する。具体的に、第２サブシステム（11b）では、第２の三方弁（25b）が第２状態に設定され、内気処理ユニット（56）の熱源側熱交換器（63）だけに熱源水が供給される。つまり、熱源水回路（20）では、熱源水の流通経路が第２流通状態となり、送り配管（30）の分岐管（42a）を流れる熱媒水が、利用側バイパス配管（24b）を通って熱源側熱交換器（63）へ供給される。
【００８８】
内気処理ユニット（56）では、圧縮機（61）が作動し、四方切換弁（62）が第２状態に設定される。そして、内気処理ユニット（56）では、上述した暖房運転時と同様に、利用側熱交換器（65）が凝縮器として機能して熱源側熱交換器（63）が蒸発器として機能する冷凍サイクルが行われる。第２サブシステム（11b）では、内気処理ユニット（56）の利用側ユニット（58）において加熱された空気が、第２室内空間（100b）へ供給される。なお、外気処理ユニット（70）の動作は、上述した暖房運転時と同じである。
【００８９】
次に、熱源機器（15）から各サブシステム（11a,11b）へ暖房用中温水が供給されている場合について説明する。
【００９０】
この場合、第１サブシステム（11a）は、ファンコイルユニット（50）が停止し、内気処理ユニット（56）と外気処理ユニット（70）が作動する。具体的に、第１サブシステム（11a）では、第１の三方弁（25a）が第２状態に設定され、内気処理ユニット（56）の熱源側熱交換器（63）だけに熱源水が供給される。つまり、熱源水回路（20）では、熱源水の流通経路が第２流通状態となり、送り配管（30）の分岐管（32a）を流れる熱媒水が、利用側バイパス配管（24a）を通って熱源側熱交換器（63）へ供給される。
【００９１】
内気処理ユニット（56）では、圧縮機（61）が作動し、四方切換弁（62）が第１状態に設定される。そして、内気処理ユニット（56）では、上述した冷房運転時と同様に、熱源側熱交換器（63）が凝縮器として機能して利用側熱交換器（65）が蒸発器として機能する冷凍サイクルが行われる。第１サブシステム（11a）では、内気処理ユニット（56）の利用側ユニット（58）において冷却され且つ除湿された空気が、第１室内空間（100a）へ供給される。なお、外気処理ユニット（70）の動作は、上述した冷房運転時と同じである。
【００９２】
一方、第２サブシステム（11b）は、上述した暖房運転時と同じ動作を行い、第２室内空間（100b）を暖房する。つまり、第２サブシステム（11b）では、ファンコイルユニット（50）が加熱した空気を第２室内空間（100b）へ供給し、内気処理ユニット（56）の利用側ユニット（58）が加熱した空気を第２室内空間（100b）へ供給する。なお、外気処理ユニット（70）の動作は、上述した暖房運転時と同じである。
【００９３】
−制御動作−
空調側制御器（17）と熱源側制御器（16）とが行う制御動作について説明する。
【００９４】
上述したように、熱源側制御器（16）は、熱源水回路（20）における熱源水の循環流量が基準流量となるように決定した台数の熱源水ポンプ（21）を作動させる。具体的に、熱源側制御器（16）は、空気調和システム（10）が起動する際に、熱源側制御器（16）に設けられたカレンダー機能を利用して、その日の日付（例えば、６月１５日）を特定する。
【００９５】
上述したように、熱源側制御器（16）のメモリには、一年の各日に用いる基準流量が予め記録されている。熱源側制御器（16）は、特定した日付（上述の例では、６月１５日）に対応する基準流量の値を、メモリから読み出す。そして、熱源側制御器（16）は、“各サブシステム（11a,11b）へ供給される熱源水の流量の合計値”を“メモリから読み出した基準流量”とするのに必要な熱源水ポンプ（21）の運転台数を決定し、決定した台数の熱源水ポンプ（21）を作動させる。
【００９６】
上述したように、基準流量は、躯体負荷の少なくとも一部（即ち、室内の空調負荷の一部）がファンコイルユニット（50）によって処理されるような熱源水の循環流量である。このため、作動中のファンコイルユニット（50）では、室内へ供給する空気を空調用熱交換器（51）において冷却し又は加熱することによって、室内の顕熱負荷の一部が処理される。
【００９７】
一方、空調側制御器（17）は、室内空間（100a,100b）の空気の状態が所定の目標状態となるように、内気処理ユニット（56）の空調能力を制御する。上述したように、空調側制御器（17）は、室内空間（100a,100b）の空気の状態を示す一つ又は複数の物理量が目標値となるように、圧縮機（61）の運転容量や、膨張弁（64）の開度などを調節する。
【００９８】
例えば、冷房運転において、空調側制御器（17）は、利用側熱交換器（65）における冷媒の蒸発温度の目標値を設定する。そして、実際の冷媒の蒸発温度が目標値を上回っている場合は、空調側制御器（17）が圧縮機（61）の回転速度を上昇させ、実際の冷媒の蒸発温度が目標値を下回っている場合は、空調側制御器（17）が圧縮機（61）の回転速度を低下させる。また、暖房運転において、空調側制御器（17）は、利用側熱交換器（65）における冷媒の凝縮温度の目標値を設定する。そして、実際の冷媒の凝縮温度が目標値を下回っている場合は、空調側制御器（17）が圧縮機（61）の回転速度を上昇させ、実際の冷媒の凝縮温度が目標値を上回っている場合は、空調側制御器（17）が圧縮機（61）の回転速度を低下させる。
【００９９】
ファンコイルユニット（50）は、室内の顕熱負荷の一部を処理する。また、外気処理ユニット（70）は、室内の顕熱負荷の一部と潜熱負荷の一部とを処理する。そして、空調側制御器（17）が上述した制御動作を行うことによって、室内の空調負荷のうち、ファンコイルユニット（50）及び外気処理ユニット（70）が処理できなかった分が、内気処理ユニット（56）によって処理される。
【０１００】
−実施形態１の効果−
本実施形態において、熱源側制御器（16）は、熱源水回路（20）における熱源水の循環流量を、所定の基準流量に設定する。つまり、熱源側制御器（16）は、熱源水の循環流量を基準流量に保つ動作（即ち、比較的単純な制御動作）を行う。このため、熱源側制御器（16）の構成は、非常に簡素となる。熱源水回路（20）における熱源水の循環流量が基準流量に設定された状態では、室内の顕熱負荷の一部がファンコイルユニット（50）によって処理される。一方、空調側制御器（17）が内気処理ユニット（56）の空調能力を調節するため、室内の空調負荷のうちファンコイルユニット（50）が処理できなかった分は、内気処理ユニット（56）及び外気処理ユニット（70）によって処理される。
【０１０１】
このように、本実施形態の空気調和システム（10）では、簡素な構成の熱源側制御器（16）を用いつつ、ファンコイルユニット（50）と内気処理ユニット（56）と外気処理ユニット（70）とを用いて室内の空調負荷を処理することができる。従って、本実施形態によれば、室内の空調負荷を確実に処理するという空気調和システム（10）の機能を損なうことなく、空気調和システム（10）の制御を行うための構成を簡素化できる。このため、本実施形態によれば、空気調和システム（10）の製造コストを低減することが可能となる。
【０１０２】
また、本実施形態では、熱源水回路（20）において、ファンコイルユニット（50）の空調用熱交換器（51）の下流に、内気処理ユニット（56）の熱源側熱交換器（63）が配置される。つまり、熱源水回路（20）を流れる熱源水は、空調用熱交換器（51）において空気と熱交換した後に、更に熱源側熱交換器（63）において冷媒回路（60）の冷媒と熱交換する。このため、熱源機器（15）から空調用熱交換器（51）と熱源側熱交換器（63）とに個別に熱源水を供給する場合に比べ、熱源機器（15）から送出される熱源水と、熱源機器（15）へ戻ってくる熱源水との温度差を拡大することができる。その結果、熱源水によって搬送される熱量を保ちつつ、熱源水回路（20）における熱源水の循環流量を削減し、熱源水ポンプ（21）の消費電力を削減できる。
【０１０３】
また、本実施形態では、切換機構（25a,25b）が熱源水の流通経路を切り換えることによって、第１空気調和機であるファンコイルユニット（50）と第２空気調和機（55）の両方が室内の空気調和を行う運転状態と、第２空気調和機（55）だけが室内の空気調和を行う運転状態とを切り換えることができる。従って、本実施形態によれば、空気調和システム（10）の運転状態を室内の空調負荷に応じて選択することが可能となり、空気調和システム（10）によって室内の空調負荷を過不足なく処理することが可能となる。
【０１０４】
−実施形態１の変形例−
本実施形態の空気調和システム（10）では、切換機構（25a,25b）を三方弁（25a,25b）に代えて一対の切換用電磁弁（26a,27a,26b,27b）によって構成してもよい。
【０１０５】
図３に示すように、各サブシステム（11a,11b）において、利用側バイパス配管（24a,24b）は、一端が送り配管（30）の分岐管（32a,32b）に接続され、他端が戻り配管（40）の分岐管（42a,42b）における空調用熱交換器（51）と熱源側熱交換器（63）の間に接続される。送り配管（30）の各分岐管（32a,32b）では、利用側バイパス配管（24a,24b）の接続箇所よりも下流側に第１切換用電磁弁（26a,26b）が配置される。また、各分岐管（32a,32b）に接続する利用側バイパス配管（24a,24b）には、第２切換用電磁弁（27a,27b）が配置される。
【０１０６】
第１切換用電磁弁（26a,26b）を開状態として第２切換用電磁弁（27a,27b）を閉状態にすると、熱源水回路（20）における熱源水の流通経路が第１流通状態となる。つまり、熱源水回路（20）では、送り配管（30）を通って各サブシステム（11a,11b）へ供給された熱源水が、ファンコイルユニット（50）の空調用熱交換器（51）と内気処理ユニット（56）の熱源側熱交換器（63）とを順に通過する。
【０１０７】
第１切換用電磁弁（26a,26b）を閉状態として第２切換用電磁弁（27a,27b）を開状態にすると、熱源水回路（20）における熱源水の流通経路が第２流通状態となる。つまり、熱源水回路（20）では、送り配管（30）を通って各サブシステム（11a,11b）へ供給された熱源水が、利用側バイパス配管（24a,24b）を通って内気処理ユニット（56）の熱源側熱交換器（63）へ供給される。
【０１０８】
《実施形態２》
実施形態２について説明する。本実施形態は、実施形態１の空気調和システム（10）において、熱源水回路（20）の構成を変更したものである。
【０１０９】
図４に示すように、本実施形態の空気調和システム（10）の熱源水回路（20）では、各サブシステム（11a,11b）のファンコイルユニット（50）の空調用熱交換器（51）と内気処理ユニット（56）の熱源側熱交換器（63）とが、互いに並列に配置される。
【０１１０】
具体的に、本実施形態では、送り配管（30）の各分岐管（32a,32b）に、一つの主配管（33a,33b）と、二つの副配管（34a,35a,34b,35b）とが設けられる。各分岐管（32a,32b）において、主配管（33a,33b）は、一端に集合管（31）の終端が接続され、他端に各副配管（34a,35a,34b,35b）の一端が接続される。第１副配管（34a,34b）は、他端がファンコイルユニット（50）の空調用熱交換器（51）の流入端に接続される。第１副配管（34a,34b）には、開度可変の第１調節弁（36a,36b）が設けられる。第２副配管（35a,35b）は、他端が内気処理ユニット（56）の熱源側熱交換器（63）の一次側流路（63a）の流入端に接続される。第２副配管（35a,35b）には、開度可変の第２調節弁（37a,37b）が設けられる。
【０１１１】
また、本実施形態では、戻り配管（40）の各分岐管（42a,42b）に、一つの主配管（43a,43b）と、二つの副配管（44a,45a,44b,45b）とが設けられる。各分岐管（42a,42b）において、主配管（43a,43b）は、一端に集合管（41）の終端が接続され、他端に各副配管（44a,45a,44b,45b）の一端が接続される。第１副配管（44a,44b）は、他端がファンコイルユニット（50）の空調用熱交換器（51）の流出端に接続される。第２副配管（45a,45b）は、他端が内気処理ユニット（56）の熱源側熱交換器（63）の一次側流路（63a）の流出端に接続される。
【０１１２】
本実施形態の空気調和システム（10）の熱源水回路（20）において、熱源機器（15）から各サブシステム（11a,11b）へ供給される熱源水は、その一部がファンコイルユニット（50）の空調用熱交換器（51）へ供給され、残りが内気処理ユニット（56）の熱源側熱交換器（63）へ供給される。空調用熱交換器（51）と熱源側熱交換器（63）への熱源水の分配割合は、二つの調節弁（36a,37a,36b,37b）の開度を調節することによって行われる。また、第１調節弁（36a,36b）と第２調節弁（37a,37b）のうち第１調節弁（36a,36b）だけを全閉状態にすると、熱源機器（15）から各サブシステム（11a,11b）へ供給される熱源水の全部が、内気処理ユニット（56）の熱源側熱交換器（63）へ供給される。そして、本実施形態の空気調和システム（10）は、実施形態１と同様に、冷房運転と暖房運転と冷暖混在運転とを選択的に行う。
【０１１３】
《その他の実施形態》
上記各実施形態の空気調和システム（10）では、吸着剤を用いて空気の除湿と加湿を行う調湿装置を外気処理ユニット（70）として用いてもよい。
【０１１４】
冷房運転を行うサブシステム（11a,11b）において、本変形例の外気処理ユニット（70）は、吸着剤を用いて除湿した室外空気を室内空間（100a,100b）へ供給すると共に、室内空間（100a,100b）から吸い込んだ室内空気を吸着剤の再生に利用してから屋外へ排出する。また、暖房運転を行うサブシステム（11a,11b）において、本変形例の外気処理ユニット（70）は、吸着剤を用いて加湿した室外空気を室内空間（100a,100b）へ供給すると共に、室内空間（100a,100b）から吸い込んだ室内空気を吸着剤で除湿してから屋外へ排出する。
【産業上の利用可能性】
【０１１５】
以上説明したように、本発明は、熱源流体自体によって空気を温度調節する空気調和機と、冷媒回路の冷媒によって空気を温度調節する空気調和機とを有する空気調和システムについて有用である。
【符号の説明】
【０１１６】
10    空気調和システム
15    熱源機器
16    熱源側制御器
17    空調側制御器
20    熱源水回路（熱源流体回路）
24a,24b    利用側バイパス配管（バイパス配管）
25a,25b    三方弁（切換機構）
26a,26b    第１切換用電磁弁（切換機構）
27a,26b    第２切換用電磁弁（切換機構）
50    ファンコイルユニット（第１空気調和機）
51    空調用熱交換器
55    第２空気調和機
56    内気処理ユニット
60    冷媒回路
63    熱源側熱交換器
70    外気処理ユニット
【図１】
2018112356.tif 000003
【図２】
2018112356.tif 000004
【図３】
2018112356.tif 000005
【図４】
2018112356.tif 000006